(57)【要約】      （修正有）【課題】ブース空間に対して使用者が出入りし易い構成をとるための設計の自由度に優れたブースを提供する。【解決手段】内部に起立姿勢の使用者を収容可能なブース空間ｓｐを有するブースであって、ブース空間の前面側を覆う前壁１と、ブース空間ｓｐの背面側を覆う背壁２とを具備してなり、前壁１の内面における上下方向中間位置に天板が設けられているとともに背壁２の内面における上下方向中間位置に脚を有しない臀部当てＪが設けられる。【選択図】図５
2018135722.tif 000002
【特許請求の範囲】
【請求項１】
内部に起立姿勢の使用者を収容可能なブース空間を有するブースであって、
前記ブース空間の前面側を覆う前壁と、前記ブース空間の背面側を覆う背壁とを具備してなり、
前記前壁の内面における上下方向中間位置に天板が設けられているとともに前記背壁の内面における上下方向中間位置に脚を有しない臀部当てが設けられているブース。
【請求項２】
前記ブース空間の少なくとも一側面側を覆う扉を備えた側壁を具備している請求項１記載のブース。
【請求項３】
前記ブース空間の底面側を覆う底壁を備えている請求項１又は２記載のブース。
【請求項４】
前記背壁における前記臀部当てよりも下方に位置する部位が、下方に向かって漸次前側に変位するように傾斜したものである請求項１、２又は３記載のブース。
【請求項５】
前記ブース空間の底面側を覆うとともに着座者が上面に起立し得る底壁を備えたものであり、
前記背壁における前記臀部当てよりも下方に位置する部位が、下方に向かって漸次前側に変位するように傾斜するとともに、その下端部が前記底壁の後端部に接続しており、
前記臀部当てが、側面視において、前記底壁の後端部よりも後に位置するように設定されている請求項１、２、３又は４記載のブース。
【請求項６】
保形性を確保するためのフレームと、フレーム間に配設され前記ブース空間と外部空間とを区画する区画面材とを備えたものであり、
前記前壁、前記背壁、前記側壁が、前記区画面材を主体に構成されたものである請求項１、２、３、４又は５記載のブース。
【請求項７】
前記臀部当てが、前記背壁における左右方向寸法よりも短く設定されているとともに前記背壁における左右方向中央に配されている請求項１、２、３、４、５又は６記載のブース。
【請求項８】
前記臀部当てにおける上部の前後厚み寸法が、当該臀部当てにおける下部の前後厚み寸法よりも小さく設定されている請求項１、２、３、４、５、６又は７記載のブース。
【請求項９】
保形性を確保するためのフレームと、フレーム間に配設され前記ブース空間と外部空間とを区画する区画面材とを備えたものであり、
前記前壁、前記背壁、前記側壁が、前記区画面材を主体に構成されたものであり、前記区画面材の内面に、吸音機能を有した内張り材が設けられている請求項１、２、３、４、５、６、７又は８記載のブース。
【発明の詳細な説明】
【技術分野】
【０００１】
本発明は、公共的なスペースやオフィス等に好適に配設されるブースに関する。
【背景技術】
【０００２】
従来から、オフィス内に好適に配設され得るブースが知られている（例えば、特許文献１を参照）。
【０００３】
また、オフィス内に限られず公共的なスペースにおいても使用し得るように、ブース空間を形成したブースも存在する。この種のブースは、壁体により囲まれたブース空間を有しているものであり、使用者は、オフィス内や公共的な場所であっても外部を気にすることなく、パソコンやスマートフォン等を使用した比較的短時間の執務を行うことができるものとなっている。
【０００４】
ところで、従来のブースは、ブース空間に座面が上方を向いた座を備えている。そして、当該座は、脚を介して底壁に支持されたものとなっていた。
【０００５】
ところが、このような構成のものであると、ブース空間における比較的広範な範囲を座及び脚が占めるものとなるため、ブース空間に対して使用者が出入りし難い構造になりやすいという不具合がある。
【先行技術文献】
【特許文献】
【０００６】
【特許文献１】特開２００４−１８０９３７号公報
【発明の概要】
【発明が解決しようとする課題】
【０００７】
本発明は、以上のような事情に着目してなされたもので、少なくとも、ブース空間に対して使用者が出入りし易い構成をとるための設計の自由度に優れたブースを提供することにある。
【課題を解決するための手段】
【０００８】
すなわち、本発明は次の構成をなしている。
【０００９】
請求項１に記載の発明は、内部に起立姿勢の使用者を収容可能なブース空間を有するブースであって、前記ブース空間の前面側を覆う前壁と、前記ブース空間の背面側を覆う背壁と、前記ブース空間の少なくとも一側面側を覆う扉を備えた側壁とを具備してなり、前記前壁の内面における上下方向中間位置に天板が設けられているとともに前記背壁の内面における上下方向中間位置に脚を有しない臀部当てが設けられているブースである。
【００１０】
請求項２に記載の発明は、前記ブース空間の少なくとも一側面側を覆う扉を備えた側壁を具備している請求項１記載のブースである。
【００１１】
請求項３に記載の発明は、前記ブース空間の底面側を覆う底壁を備えている請求項１又は２記載のブースである。
【００１２】
請求項４に記載の発明は、前記背壁における前記臀部当てよりも下方に位置する部位が、下方に向かって漸次前側に変位するように傾斜したものである請求項１、２又は３記載のブースである。
【００１３】
請求項５に記載の発明は、前記ブース空間の底面側を覆うとともに着座者が上面に起立し得る底壁を備えたものであり、前記背壁における前記臀部当てよりも下方に位置する部位が、下方に向かって漸次前側に変位するように傾斜するとともに、その下端部が前記底壁の後端部に接続しており、前記臀部当てが、側面視において、前記底壁の後端部よりも後に位置するように設定されている請求項１、２、３又は４記載のブースである。
【００１４】
請求項６に記載の発明は、保形性を確保するためのフレームと、フレーム間に配設され前記ブース空間と外部空間とを区画する区画面材とを備えたものであり、前記前壁、前記背壁、前記側壁が、前記区画面材を主体に構成されたものである請求項１、２、３、４又は５記載のブースである。
【００１５】
請求項７に記載の発明は、前記臀部当てが、前記背壁における左右方向寸法よりも短く設定されているとともに前記背壁における左右方向中央に配されている請求項１、２、３、４、５又は６記載のブースである。
【００１６】
請求項８に記載の発明は、前記臀部当てにおける上部の前後厚み寸法が、当該臀部当てにおける下部の前後厚み寸法よりも小さく設定されている請求項１、２、３、４、５、６又は７記載のブースである。
【００１７】
請求項９に記載の発明は、保形性を確保するためのフレームと、フレーム間に配設され前記ブース空間と外部空間とを区画する区画面材とを備えたものであり、前記前壁、前記背壁、前記側壁が、前記区画面材を主体に構成されたものであり、前記区画面材の内面に、吸音機能を有した内張り材が設けられている請求項１、２、３、４、５、６、７又は８記載のブースである。
【発明の効果】
【００１８】
以上説明したように本発明によれば、少なくとも、ブース空間に対して使用者が出入りし易い構成をとるための設計の自由度に優れたブースを提供することができる。
【図面の簡単な説明】
【００１９】
【図１】本発明の一実施形態を示す斜視図。
【図２】同実施形態における右側面図。
【図３】同実施形態における背面図。
【図４】同実施形態における斜視図。
【図５】図３におけるＸ−Ｘ線概略断面図。
【図６】図２におけるＹ−Ｙ線概略断面図。
【図７】同実施形態における斜視図。
【図８】図５におけるＡ部分拡大図。
【図９】図５におけるＢ部分拡大図。
【図１０】図５におけるＣ部分拡大図。
【図１１】図５におけるＤ部分拡大図。
【図１２】図５におけるＥ部分拡大図。
【図１３】図５におけるＦ部分拡大図。
【発明を実施するための形態】
【００２０】
以下、本発明の一実施形態を、図１〜１５を参照して説明する。なお、図７は主としてブースＧを構成するフレームＨを説明するための概略的な斜視図である。
【００２１】
この実施形態は、本発明を、オフィスや公共的なスペースに設置されるブースＧに適用したものである。
【００２２】
ブースＧは、壁体である前壁１と背壁２との間にブース空間ｓｐを形成したものである。この実施形態では、ブースＧは、図１〜７に示すように、外部空間から一定程度遮断されたブース空間ｓｐを形成したものである。ブース空間ｓｐは、壁体である前壁１、背壁２、第一、第二の側壁３、４、底壁５、及び、天壁６により囲まれている。ブースＧを使用する使用者は、例えば、当該ブースＧが設置されるオフィス内における所定の場所や公共的な場所であっても外部への音等の情報流出や外部からの騒音を気にすることなく、パソコンや、スマートフォンや固定電話等を使用した比較的短時間の執務をスピーディーに行うことができるものとなっている。
【００２３】
ブースＧは、内部に起立姿勢の使用者を収容可能なブース空間ｓｐを有している。ブースＧは、ブース空間ｓｐの前面側を覆う前壁１と、ブース空間ｓｐの背面側を覆う背壁２と、ブース空間ｓｐの一側面（右側面）側を覆う扉たる可動面材部ｉ２を備えた第一の側壁３と、ブース空間ｓｐの他側面（左側面）側を覆う第二の側壁４と、ブース空間ｓｐの下面を覆う底壁５と、ブース空間ｓｐの上面を覆う天壁６とを具備している。なお、前壁１の内面における上下方向中間位置には、天板Ｋが設けられている。背壁２の内面における上下方向中間位置には、脚を有しない臀部当てＪが背壁２から突出した態様で設けられている。
【００２４】
ブースＧは、保形性を確保するためのフレームＨと、フレームＨ間に配設されブース空間ｓｐと外部空間とを区画する区画面材Ｉとを備えている。前壁１、背壁２、第一、第二の側壁３、４、底壁５、及び、天壁６は、区画面材Ｉを主体に構成されている。
【００２５】
フレームＨは、図５〜７に示すように、例えば、角パイプ素材を用いて作られたものである。フレームＨは、第一、第二の側壁３、４の外縁に対応する環状に形成された右・左の側フレーム部ｈ１を備えている。（なお、右の側フレームｈ１は、ブースＧを正面側から見た場合における右に位置するものであり、左の側フレームｈ１は、ブースＧを正面側から見た場合における左に位置するものである。）右・左の側フレーム部ｈ１は、前後に延びる底壁対応部分ｈ１１と、底壁対応部分ｈ１１の前端から上方に延びる前壁対応部分ｈ１２と、底壁対応部分ｈ１１の後端から上方に延びる背壁対応部分ｈ１３と、背壁対応部分ｈ１３と前壁対応部分ｈ１２との上端部間を連結する天壁対応部分ｈ１４と、天壁対応部分ｈ１４の前部と底壁対応部分ｈ１１の前部との間を繋ぐ中間縦枠部分ｈ１５とを備えている。
【００２６】
フレームＨは、右・左の側フレーム部ｈ１における前壁対応部分ｈ１２間に架設された最上段、上段、中段、下段の前面側架設フレーム部ｈ２ａ、ｈ２ｂ、ｈ２ｃ、ｈ２ｄと、右・左の側フレーム部ｈ１における背壁対応部分ｈ１３間に架設された最上段、上段、中段、下段、最下段の背面側架設フレーム部ｈ３ａ、ｈ３ｂ、ｈ３ｃ、ｈ３ｄ、ｈ３ｅと、右・左の側フレーム部ｈ１における底壁対応部分ｈ１１間に架設された前・後の底面側架設フレーム部ｈ４ａ、ｈ４ｂと、右・左の側フレーム部ｈ１の天壁対応部分ｈ１４間に架設された上面側架設フレーム部ｈ５と、右・左の側フレーム部ｈ１における中間縦枠部分ｈ１５間に架設された中間架設フレーム部ｈ６とを備えている。背壁対応部分ｈ１３は、臀部当てＪの高さ位置に相応した上下方向中央部が最も後方に位置した側面視略くの字状に形成されている。底壁対応部分ｈ１１には、取付板部ｈ７が設けられている。そして、取付板部ｈ７に貫通させた図示しないアンカーボルト等を利用して、ブースＧを床上に適切に固定することができるようになっている。
【００２７】
区画面材Ｉは、図１〜図６、及び、図８〜１３に示すように、右の側フレーム部ｈ１の前部領域の外面に固設された固定面材部ｉ１と、右の側フレーム部ｈ１の後部領域の外面に配された扉である可動面材部ｉ２と、左の側フレーム部ｈ１の内側に配設された側面材部ｉ３と、側フレーム部ｈ１の前壁対応部分ｈ１２間に配設された前面材部ｉ４と、側フレーム部ｈ１の背壁対応部分ｈ１３間に配設された上、下の背面材部ｉ５、ｉ６と、側フレーム部ｈ１の底壁対応部分ｈ１１間に配設された底面材部ｉ７と、側フレーム部ｈ１の天壁対応部分ｈ１４間に配設された天面材部ｉ８とを備えてなる。
【００２８】
固定面材部ｉ１は、図１〜４、及び、図６に示すように、例えば、図示しない枠材にパネルを取り付けてなるものである。固定面材部ｉ１は、右の側フレーム部ｈ１における前部に適宜の方法により固設されている。なお、固定面材部ｉ１の外面には、ＩＣタグ読み取り機ｉ１１が設けられている。ＩＣタグ読み取り機ｉ１１の使用態様としては、例えば、登録された使用者情報を有するＩＣカードを当該ＩＣタグ読み取り機ｉ１１に接近させることにより可動面材部ｉ２たる扉を開錠したり施錠したりすることが挙げられる。
【００２９】
可動面材部ｉ２は、開閉動作可能な扉を構成するものである。可動面材部ｉ２は、図１〜４、及び、図６に示すように、例えば、枠材ｉ２１の内側にガラスや合成樹脂製のパネルｉ２２をはめ込んでなる。この実施形態では、可動面材部ｉ２に用いられたパネルｉ２２は、使用者の足元に対応する下部分が透明であり、使用者の足元よりも上の部分に対応する上部分が不透明又は擦りガラス状に構成されている。可動面材部ｉ２の基端部は、蝶番ｉ２３を介して固定面材部ｉ１に支持されている。可動面材部ｉ２の先端部には、使用者が開閉に操作に使用する取手ｉ２４が取り付けられている。
【００３０】
側面材部ｉ３は、図１、図４、図５、及び、図６に示すように、例えば、板金製の外側パネルｉ３１と内側パネルｉ３２とを主体に構成されたものである。外側パネルｉ３１は、左の側フレーム部ｈ１に取り付けられている。内側パネルは、中間縦枠部分ｈ１５を挟むようにして、外側パネルｉ３１にネジｖを用いて取り付けられている。なお、ブース空間ｓｐに面する内側パネルｉ３２には、必要に応じて、吸音機能を有した内張り材（図示せず）が取り付けられる。
【００３１】
前面材部ｉ４は、図１、図４〜６、及び、図１１〜１３に示すように、例えば、板金製の外側パネルｉ４１と内側パネルｉ４２とを主体に構成されている。外側パネルｉ４１は、最上段の前面側架設フレーム部ｈ２ａ、及び、下段の前面側架設フレーム部ｈ２ｄに取り付けられている。内側パネルｉ４２は、上段、中段の前面側架設フレーム部ｈ２ｂ、ｈ２ｃを挟むようにして外側パネルｉ４１の内面側に設けられている。内側パネルｉ４２は、ネジｖを用いて外側パネルｉ４１に止着されている。なお、ブース空間ｓｐに面する内側パネルｉ４２の内面には、必要に応じて、吸音機能を有した内張り材（図示せず）が取り付けられる。
【００３２】
上の背面材部ｉ５は、図１、図３〜６、及び、図８〜１０に示すように、例えば、板金製の外側パネルｉ５１と内側パネルｉ５２とを主体に構成されている。外側パネルｉ５１は、最上段の背面側架設フレーム部ｈ３ａ、及び、最下段の背面側架設フレーム部ｈ３ｅに取り付けられている。内側パネルｉ５２は、上段、中段、下段の背面側架設フレーム部ｈ３ｂ、ｈ３ｃ、ｈ３ｄを挟むようにして外側パネルｉ５１の内面側に設けられている。内側パネルｉ５２は、ネジｖを用いて外側パネルｉ５１に止着されている。なお、ブース空間ｓｐに面する内側パネルｉ５２の内面には、必要に応じて、吸音機能を有した内張り材（図示せず）が取り付けられる。
【００３３】
下の背面材部ｉ６は、図１、図３〜５、及び、図１０に示すように、例えば、板金製の外側パネルｉ６１と使用者の荷重に耐え得る厚み寸法を有した合成樹脂製の内側パネルｉ６２とを主体に構成されている。外側パネルｉ６１は、最下段の背面側架設フレーム部ｈ３ｅ、及び、後の底面側架設フレーム部ｈ４ｂに取り付けられている。内側パネルｉ６２は、上端を最下段の背面側架設フレーム部ｈ３ｅの下面に当接させた状態で外側パネルｉ６１の内側に対面配置させたものである。内側パネルｉ６２の下端部は、後述する底面材部ｉ７の内側パネルに一体に連続させてある。
【００３４】
底面材部ｉ７は、図４〜６に示すように、例えば、板金製の外側パネルｉ７１と、使用者の荷重に耐え得る厚み寸法を有した合成樹脂製の内側パネルｉ７２を主体に構成されている。外側パネルｉ７１は、下段の前面側架設フレーム部ｈ２ｄ、及び、前の底面側架設フレーム部ｈ４ａに取り付けられている。内側パネルｉ７２は、前端を下段の前面側架設フレーム部ｈ２ｄの下面に当接させた状態でブース空間ｓｐの下面に位置させたものである。内側パネルｉ７２の後端部は、下の背面材部ｉ６の内側パネルｉ６２に一体に連続させてある。
【００３５】
天面材部ｉ８は、図１、図４、図５、及び、図１１に示すように、例えば、板金製の外側パネルｉ８１と内側パネルｉ８２とを主体に構成されている。外側パネルｉ８１は、上面側架設フレーム部ｈ５、及び、最上段の前面側架設フレーム部ｈ２ａに取り付けられている。内側パネルｉ８２は、外側パネルｉ８１の内面側に設けられている。内側パネルｉ８２は、ネジｖを用いて外側パネルｉ８１に止着されている。なお、ブース空間ｓｐに面する内側パネルｉ８２の内面には、必要に応じて、吸音機能を有した内張り材（図示せず）が取り付けられる。
【００３６】
区画面材Ｉの構成は以上に述べた通りである。ブースＧの前壁１は、区画面材Ｉにおける前面材部ｉ４を主体に構成されている。ブースＧの背壁２は、区画面材Ｉにおける上の背面材部ｉ５、及び、下の背面材部ｉ６を主体に構成されている。ブースＧの第一の側壁３は、固定面材部ｉ１、及び、可動面材部ｉ２を主体に構成されている。ブースＧの第二の側壁４は、側面材部ｉ３を主体に構成されている。ブースＧの天壁６は、天面材部ｉ８を主体に構成されている。ブースＧの底壁５は、底面材部ｉ７を主体に構成されている。
【００３７】
背壁２は、臀部当てＪよりも下方に位置する部位が下方に向かって漸次前側に変位するように傾斜した態様をなしている。換言すれば、背壁２は、側面視において、上部である臀部当てＪよりも上方に位置する部位が床面に対して略垂直に延びているとともに下部である臀部当てＪよりも下方に位置する部位が後傾した態様をなしている。
【００３８】
次に、臀部当てＪについて説明する。
【００３９】
臀部当てＪは、図３、図５〜７、及び、図９に示すように、使用者の臀部が背壁２側に凭れた際に、これを後方及び斜め下方から支持し得るものである。臀部当てＪは、クッション材を主体に構成されたものである。臀部当てＪは、背壁２の内面における上下方向中間位置に設けられている。臀部当てＪは、正面視又は背面視において略横長矩形状をなしたものであり、底壁５との間に介在する脚を有しないものとなっている。臀部当てＪは、背壁２における左右方向寸法よりも短く設定されており、且つ、背壁２における左右方向中央に配されている。臀部当てＪにおける前後方向の厚み寸法は、下部ｊ１が上部ｊ２と比べて大きくなるように設定されている。換言すれば、臀部当てＪにおける上部ｊ２の前後厚み寸法が、当該臀部当てＪにおける下部ｊ１の前後厚み寸法よりも小さく設定されている。
【００４０】
より具体的に言えば、臀部当てＪは、一般的な使用者における臀部の幅寸法に対応させた幅寸法に設定されている。臀部当てＪは、下部ｊ１が使用者の臀部を斜め下方から受け得るように前方に膨出した形状をなしており、上部ｊ２が臀部を後方から受け得る形状をなしている。
【００４１】
臀部当てＪは、図９に示すように、その上部ｊ２の後端部が中段の背面側架設フレーム部ｈ３ｃにネジｖを用いて止着されており、下部ｊ１の後端部が下段の背面側架設フレーム部ｈ３ｄにネジｖを用いて止着されている。
【００４２】
続いて、天板Ｋについて説明する。
【００４３】
天板Ｋは、前壁１の内面における上下方向中間位置に設けられたものである。天板Ｋは、パーソナルコンピュータや使用者の身の回り品等を載置して使用し得る程度の面積を有したものである。天板Ｋは、その基端部が中段の前面側架設フレーム部ｈ２ｃにネジｖを用いて止着されている。また、天板Ｋは、その先端部下面が中間架設フレーム部ｈ６にネジｖを用いて止着されている。
【００４４】
なお、前壁１の内面における天板Ｋよりも上の位置には、タッチパネル式のディスプレイ装置Ｌが配設されている。ディスプレイ装置Ｌは、例えば、使用者を撮影し得るカメラが内蔵されたものであり、テレビ会議等の執務を行うことができるものとなっている。
【００４５】
また、天壁６の内面には、照明装置Ｍが配設されている。
【００４６】
ブースＧは、使用者が取手ｉ２４をけん引して扉である可動面材部ｉ２を開くことにより、ブース空間ｓｐが外部に開放されるものとなる。そして、使用者は、外部からブース空間ｓｐ内に入ることができるものとなる。ブース空間ｓｐ内に入った使用者は、臀部当てＪに凭れることなく単に起立した状態で、天板Ｋ等を用いて作業することも可能である。また、使用者は、天板Ｋを使用するような執務を行う場合には、臀部当てＪに凭れて使用者の臀部を支持させた半起立姿勢で作業することができる。臀部当てＪが、側面視において、底壁５の後端部よりも後に位置するように設定されているので、臀部当てＪが背壁２の奥まった箇所に位置し、使用者が臀部当てＪに凭れずに単に起立した状態で作業する場合でも、臀部当てＪが使用者の邪魔になりにくいものとなっている。
【００４７】
以上説明したように、本実施形態に係るブースＧは、内部に起立姿勢の使用者を収容可能なブース空間ｓｐを有するものである。そして、ブースＧは、ブース空間ｓｐの前面側を覆う前壁１と、ブース空間ｓｐの背面側を覆う背壁２と、ブース空間ｓｐの一側面である左側の側面を覆う扉たる可動面材部ｉ２を備えた第一の側壁３と、ブース空間ｓｐの他側面である右側の側面を覆う第二の側壁４と、ブース空間ｓｐの底面側を覆う底壁５と、ブース空間ｓｐの上面側を覆う天壁６とを備えている。前壁１の内面における上下方向中間位置に天板Ｋが設けられているとともに背壁２の内面における上下方向中間位置に脚を有しない臀部当てＪが設けられている。このため、少なくとも、ブース空間ｓｐに対して使用者が出入りし易い構成をとるための設計の自由度に優れたブースＧを提供することができる。つまり、背壁２の内面に脚を有しない臀部当てＪを設けているため、従来のような脚に支持された座を有した構成のものと比較して、使用者が出入りし易い構成を好適に採り得るものとなっている。
【００４８】
しかも、使用者は、臀部を臀部当てＪに凭れさせた状態で執務を行うものとなるため、ブースＧ内に長時間滞在することが好適に抑制され得るものとなる。つまり、本実施形態におけるブースＧであれば、外部から一定程度遮断されたブース空間ｓｐ内において、使用者がパソコンやスマートフォンを使用して比較的短時間の執務を無理なく快適に遂行できるとともに無用に長時間滞在することが好適に抑制され得るものとなっている。換言すれば、このブースＧであれば、使用者のスピーディーな使用を促し、回転率を適正な値に調整し得るものとなっている。
【００４９】
背壁２における臀部当てＪよりも下方に位置する部位が、下方に向かって漸次前側に変位するように傾斜したものである。このため、使用者は、背壁２の形状に示唆されてブースＧの前後を無理なく把握し得るものとなるため、ブース空間ｓｐに入る際に好適な体勢を採り得るものとなっている。
【００５０】
ブース空間ｓｐの底面側を覆うとともに着座者が上面に起立し得る底壁５を備えたものであり、背壁２における臀部当てＪが取り付けられている位置よりも下方に位置する部位が、下方に向かって漸次前側に変位するように傾斜するとともに、その下端部が底壁５の後端部に接続している。そして、臀部当てＪが、側面視において、底壁５の後端部よりも後に位置するように設定されている。このため、臀部当てＪが背壁２の奥まった位置に設けられたものとなるため、使用者が起立した状態で作業する際に、臀部当てＪが使用者の邪魔になりにくいものとなっている。
【００５１】
ブースＧは、保形性を確保するためのフレームＨと、フレームＨ間に配設されブース空間ｓｐと外部空間とを区画する区画面材Ｉとを備えている。そして、前壁１、背壁２、第一、第二の側壁３、４、底壁５、天壁６が、区画面材Ｉを主体に構成されている。このため、区画面材ＩをフレームＨに対して付け替えることにより、設置場所等に対応した仕様変更に柔軟に対応し得るものとなっている。
【００５２】
臀部当てＪが、背壁２における左右方向寸法よりも短く設定されているとともに背壁２における左右方向中央に配されている。このため、臀部当てＪが、ブース空間ｓｐにおける広範な領域を占有し難いものとなるため、ブース空間ｓｐ内の自由な領域を広範に形成しやすいものとなっている。
【００５３】
臀部当てＪにおける上部ｊ２の前後厚み寸法が、当該臀部当てＪにおける下部ｊ１の前後厚み寸法よりも小さく設定されている。このため、使用者の臀部が好適に支持され得る形態をなしたものとなっている。
【００５４】
区画面材Ｉの内面に、吸音機能を有した図示しない内張り材が設けられているため、ブース空間ｓｐ内において発生した音が外部に認識されにくいものとなっている。
【００５５】
なお、本発明は、以上に詳述した実施形態に限られるものではない。
【００５６】
ブースは、パソコンやスマートフォンを利用した執務に限られるものではなく、単に、電話ボックス的な使用に供されるものであってもよいのはもちろんのことである。
【００５７】
上述したブースは、フレームと区画面材とによって構成されたものを示したが、このようなものに限定されるものではない。例えば、ブースを、フレーム機能及び区画面材機能を兼ねたシェル状の部材を主体にして構成したものであってもよい。しかしながら、上述した実施形態に示すものであれば、フレームに対して、種々の区画面材を適用することができるため、電気系装置の取り付けやデザイン変更等の仕様変更に柔軟に対応しやすいものとなっている。
【００５８】
上述した実施形態では、ブース空間における上面側の一部のみが、天壁に覆われた態様を示したが、このようなものに限定されるものではない。天壁は、ブース空間における上面側の全部を覆ってもよい。例えば、オフィス内においてブースを設置する場合に設置条件上に問題がなければ、ブース空間における防音性能を上げるべく、当該ブースの天壁はブース空間における上部側の全部を覆うことが考えられる。一方で、ブースは、天壁を設けない態様であってもよい。ブースは、設置される場所によって、天壁の有無を選択的に設定し得るものとしてもよい。例えば、天壁をフレームに対して着脱容易な構成としておき、天壁を設ける態様と天壁を設けない（天壁を一部残すことを含む）態様とを選択的に採り得るものとしてもよい。しかしながら、上述した実施形態に示すような、ブース空間における上面側の一部のみが開放された態様のものであれば、外部との遮断が一定程度達成できるとともに使用者に対する閉塞感を緩和し得るものとなり好適である。
【００５９】
上述した実施形態では、取付板部を右・左の側フレーム部における底壁対応部分に取り付けてなるものを説明したが、このようなものに限定されるものではない。例えば、右・左の側フレーム部における底壁対応部分に、或いは、右・左の側フレーム部における底壁対応部分間に架設した底面側架設フレーム部に、前後方向に延びてなる複数の取付板部を設けるようにしてもよい。このとき、ブースの安定を期するべく、取付板部の後端が、側面視において背壁の後端部と略同じ位置又はそれよりも後側に位置するように設定しておくことが好ましい。このようなものであれば、床上にアンカーボルト等を用いて固定しなくても、ブースが転倒することを抑制することができるものとなる。
【００６０】
上述した実施形態では、背壁の下部が下に向かって漸次前方に変位する形態をなしていたが、このようなものに限られるものではない。つまり、背壁は、上端部から下端部の略全域に亘って床面に対して略直交するように起立したものであってもよい。
【００６１】
フレームや、フレームに対する区画面材の配設態様は、種々のものを適用できるのはもちろんのことである。例えば、前壁及び第一、第二の側壁の前半部分を主体に構成された前半構造体と、背壁及び第一、第二の側壁の後半部分を主体に構成された後半構造体とを構造的に分割したものとしてもよい。このようなものであれば、設置個所において、前半構造体と後半構造体とを組み立てることができ、設置作業の便宜に資するものとなる。
【００６２】
ブースは、単一の使用者が使用し得る空間を形成したものに限られるものではない。ブースは、複数の使用者が使用し得る空間を形成したものであってもよい。
【００６３】
扉は種々の形態のものを適用することができ、上述した実施形態に示すものに限定されるものではない。例えば、扉は、完全に不透明なものであってもよいし、内部からのみ外部を見ることができるミラーガラス的なものであってもよい。扉は、完全な透明の部材を主体に構成されたものであってもよい。扉は、液晶パネル等を用いて電気的に透明度を変化させるようにしたものであってもよい。
【００６４】
前壁、背壁、側壁、天壁、天壁は、適宜、網状の部材やすだれ状の部材等を適用したものであってもよい。
【００６５】
その他、各部の具体的構成についても上記実施形態に限られるものではなく、本発明の趣旨を逸脱しない範囲で種々変形が可能である。
【符号の説明】
【００６６】
Ｇ…ブース
ｓｐ…ブース空間
１…前壁
２…背壁
３…第一の側壁（側壁）
Ｊ…臀部当て
Ｋ…天板
【図１】
2018135722.tif 000003
【図２】
2018135722.tif 000004
【図３】
2018135722.tif 000005
【図４】
2018135722.tif 000006
【図５】
2018135722.tif 000007
【図６】
2018135722.tif 000008
【図７】
2018135722.tif 000009
【図８】
2018135722.tif 000010
【図９】
2018135722.tif 000011
【図１０】
2018135722.tif 000012
【図１１】
2018135722.tif 000013
【図１２】
2018135722.tif 000014
【図１３】
2018135722.tif 000015